(57)【要約】【課題】使用者が、電気刺激用導子を変更する為に、導子コネクターを電気刺激装置本体から抜き差しする際に、把持し易い構造とすることで、抜き差し動作のし易い電気刺激用導子と電気刺激装置セットを提供する。【解決手段】導子コネクターを電気刺激装置本体に対して抜き差しする際に、導子コネクターのカバーに幅広部や凹部、凸部を設けている為、使用者が導子コネクターを把持し易く、抜き差しの際に滑りにくく、抜き差しし易くなる。従って抜き差し動作の負担が軽減される。【選択図】図２
2017113099.tif 000002
【特許請求の範囲】
【請求項１】
人体皮膚表面に装着する吸着導子と、吸着導子の電極に接続され、治療電流を流す電気回路及び吸着導子の内部に連通し負圧を与える管路回路を内蔵した可撓性のある導子コードと、前記導子コードから接続された前記電気回路と前記管路回路を電気刺激装置本体へ接続する導子コネクターとを有する電気刺激用導子において、
前記導子コネクターは、前記導子コネクターの対向面のうち、少なくとも一部が、他の部分に対して前記電気刺激装置本体から引き抜き方向及び／または差し込み方向に幅広になっている、ことを特徴とする電気刺激用導子。
【請求項２】
前記導子コネクターは、前記導子コネクターの対向面に、少なくとも一対の凹部を備えている、
ことを特徴とする請求項１に記載の電気刺激用導子。
【請求項３】
前記導子コネクターには前記管路回路と、
前記電気回路を前記電気刺激装置本体に接続する接続部が備えられ、前記導子コネクターを前記電気刺激装置本体に設けられた導子コネクター受け部に差し込むことで前記吸着導子を前記電気刺激装置本体へ接続可能とした、
を特徴とする請求項１または２に記載の電気刺激用導子。
【請求項４】
前記導子コネクターには前記管路回路を前記電気刺激装置本体に接続させる管路接続部と、
前記電気回路を前記電気刺激装置本体に接続させる電気接続部が配設されており、
前記管路接続部に接続された、複数の吸着導子の前記管路回路の基端を接続できる管路分岐部を設け、
前記電気接続部に複数の吸着導子の前記電気回路の基端を接続することで、一個の導子コネクターを前記電気刺激装置本体に設けられた導子コネクター受け部に差し込むことで複数の吸着導子を前記電気刺激装置本体へ接続可能とした、
ことを特徴とする請求項１または２に記載の電気刺激用導子。
【請求項５】
前記導子コネクターは、対向面に一対の凸部を有し、
前記凸部は、前記導子コネクターを前記電気刺激装置本体から引き抜く方向に対して垂直に設けられている、
ことを特徴とする請求項１乃至４のいずれか一項に記載の電気刺激装置用導子。
【請求項６】
請求項１乃至請求項５のいずれか一項に記載の電気刺激用導子と、電気刺激装置本体を備えた、
ことを特徴とする電気刺激装置セット。
【発明の詳細な説明】
【技術分野】
【０００１】
本発明は、人体の患部に装着し、低周波治療電流を付与することによって患部を治療する電気刺激用導子と、電気刺激電流を生成し、電気刺激用導子に低周波治療電流を送電する電気刺激装置セットに関する。
【背景技術】
【０００２】
後記の特許文献１の電気刺激用導子においては、複数の吸着導子の管路回路を分岐する分岐部と、複数の吸着導子の電気回路を接続する電気接続部を設けることで、複数の吸着導子を一個の導子コネクターで電気刺激装置本体へ接続可能としている。
【先行技術文献】
【特許文献】
【０００３】
【特許文献１】特許第４６８４４９４号公報
【発明の概要】
【発明が解決しようとする課題】
【０００４】
一般に、患部の場所、治療の種類によって使用される電気刺激用導子は様々で、用途に合わせて変更する必要がある。
上記従来の電気刺激用導子にあっては、複数の吸着導子を一個の導子コネクターで電気刺激装置本体へ接続可能としている為、電気刺激用導子を変更する際に、吸着導子の個数に対して電気刺激装置本体への抜き差し回数が軽減される。従って、電気刺激用導子を変更する手間が軽減される。
しかしながら、上記従来の電気刺激用導子は、抜き差し行為自体を改善した物ではなく、導子コネクターを把持する場所もなく、抜き差しし難い不都合があった。
【０００５】
本発明は、上記課題に鑑みてなされたものであり、使用者が、電気刺激用導子を変更する為に、導子コネクターを電気刺激装置本体から抜き差しする際に、把持し易い構造とすることで、抜き差し動作のし易い電気刺激用導子と電気刺激装置セットを提供することを目的とする。
【課題を解決するための手段】
【０００６】
本発明は、上記目的を達成するため、以下の手段を提供する。
【０００７】
(１)本発明に係る電気刺激用導子は、人体皮膚表面に装着する吸着導子と、吸着導子の電極に接続され、治療電流を流す電気回路及び吸着導子の内部に連通し負圧を与える管路回路を内蔵した可撓性のある導子コードと、前記導子コードから接続された前記電気回路と前記管路回路を電気刺激装置本体へ接続する導子コネクターとを有する電気刺激用導子において、前記導子コネクターは、前記導子コネクターの対向面のうち、少なくとも一部が、他の部分に対して前記電気刺激装置本体から引き抜き方向及び／または差し込み方向に幅広になっている、ことを特徴とする。
【０００８】
この構成によれば、電気刺激用導子は、導子コネクターが、導子コネクターの対向面のうち、少なくとも一部が、他の部分に対して前記電気刺激装置本体から引き抜き方向及び／または差し込み方向に幅広になっている為、引き抜き方向に幅広になっていれば、導子コネクターを電気刺激装置本体から引き抜くために導子コネクターを把持した際に指が掛かり易く、滑り止めになり、引き抜き動作を容易にでき、差し込み方向に幅広になっていれば、導子コネクターを電気刺激装置本体へ差し込むために導子コネクターを把持した際に指が掛かり易く、滑り止めになり、差し込み動作を容易にできる。
【０００９】
(２)本発明において、前記導子コネクターは、前記導子コネクターの対向面に、少なくとも一対の凹部を備えている、ことを特徴とする。
【００１０】
この構成によれば、導子コネクターを電気刺激装置本体へ差し込んだり、引き抜いたりする際に、導子コネクターの対向面に凹部がある為、指で挟むように把持し易く、滑り止めになり、抜き差し動作を容易にできる。
【００１１】
(３)本発明において、好ましい実施態様では、前記導子コネクターには前記管路回路と、前記電気回路を前記電気刺激装置本体に接続する接続部が備えられ、前記導子コネクターを前記電気刺激装置本体に設けられた導子コネクター受け部に差し込むことで前記吸着導子を前記電気刺激装置本体へ接続可能とした、ことを特徴とする。
【００１２】
この構成によれば、管路回路と、電気回路を同一部材で接続できる為、導子コネクターを小型化でき、本体の導子コネクターの受け部も小型化できる。
【００１３】
(４)本発明において、好ましい実施態様では、前記導子コネクターには前記管路回路を前記電気刺激装置本体に接続させる管路接続部と、前記電気回路を前記電気刺激装置本体に接続させる電気接続部が配設されており、前記管路接続部に接続された、複数の吸着導子の前記管路回路の基端を接続できる管路分岐部を設け、前記電気接続部に複数の吸着導子の前記電気回路の基端を接続することで、一個の導子コネクターを前記電気刺激装置本体に設けられた導子コネクター受け部に差し込むことで複数の吸着導子を前記電気刺激装置本体へ接続可能とした、ことを特徴とする。
【００１４】
この構成によれば、導子コネクターは複数の吸着導子に連結する導子コードを一つの導子コネクターで電気刺激装置本体に抜き差しできる為、電気刺激用導子を変更する際に導子コネクターを抜き差しする回数が減り、使用者の負担が減る。
【００１５】
(５)本発明において、好ましい実施態様では、前記導子コネクターは、対向面に一対の凸部を有し、前記凸部は、前記導子コネクターを前記電気刺激装置本体から引き抜く方向に対して垂直に設けられている、ことを特徴とする。
【００１６】
この構成によれば、導子コネクターは電気刺激装置本体から導子コネクターを抜き差しする際に、抜き差し方向に対して垂直に凸部がある為、把持した際に指が掛かり易く、滑り止めになり、抜き差し動作を容易にできる。
【００１７】
(６)本発明において、好ましい実施態様では、電気刺激用導子と、電気刺激装置本体を備える。
【００１８】
この構成によれば、電気刺激装置本体から導子コネクターを抜き差しし易い電気刺激装置セットを提供できる。
【発明の効果】
【００１９】
本発明によれば、人体皮膚表面に装着する吸着導子と、各吸着導子の電極に接続され、低周波電流を流す電気回路及び吸着導子の内部に連通し負圧を与える管路回路を内蔵した可撓性のある導子コードと、導子コードから接続された電気回路と管路回路を電気刺激装置本体へ接続する導子コネクターとを有する電気刺激用導子において、導子コネクターは、導子コネクターの対向面のうち、少なくとも一部が、他の部分に対して前記電気刺激装置本体から引き抜き方向及び／または差し込み方向に幅広になっている為、導子コネクターを電気刺激装置本体から抜き差しするために導子コネクターを把持した際に指が掛かり易く、滑り止めになり、引き抜き動作を容易にできる。
【図面の簡単な説明】
【００２０】
【図１】第１実施例の電気刺激用導子の正面図
【図２】（ａ）第１実施例の導子コネクターの平面図、（ｂ）第１実施例の導子コネクターのＡ−Ａ断面図、（ｃ）第１実施例の導子コネクターの斜視図
【図３】（ａ）電気刺激装置本体の正面図、（ｂ）電気刺激装置本体の右側面図、（ｃ）出力パネル部の正面図
【図４】第２実施例の電気刺激用導子の正面図
【図５】（ａ）第２実施例の導子コネクターの正面図、（ｂ）第２実施例の導子コネクターの右側面図、（ｃ）第２実施例の導子コネクターのＣ−Ｃ断面図、（ｄ）第２実施例の導子コネクターのカバーのみのＡ−Ａ断面図、（ｅ）第２実施例の導子コネクターのカバーのみのＢ−Ｂ断面図、（ｆ）第２実施例の導子コネクターの斜視図
【発明を実施するための形態】
【００２１】
以下、本発明の実施形態に係る電気刺激用導子と電気刺激装置セットを図面に基づいて詳細に説明する。
【００２２】
図１乃至図３を参照して、本発明の第１実施例の電気刺激用導子と電気刺激装置セットを説明する。図１は、治療電流を患部付近で干渉させる干渉波治療を実施する際に最低限必要な数量を揃えた電気刺激用導子を示す。図２は第１実施例の導子コネクターをそれぞれ示す。図３は電気刺激装置本体の正面図と、右側面図、導子コネクターを差し込む導子コネクター受け部を示す。
【００２３】
図１において、電気刺激用導子１は、患部に、吸着することで装着される吸着導子２と、吸着導子２に接続される治療電流を伝達する電気回路５と、吸着導子に患部を吸引する為の負圧を伝達する管路回路６を内蔵した導子コード３と、電気刺激装置本体１５に抜き差しされ、導子コード３に内蔵された電気回路５と管路回路６を電気刺激装置本体１５に接続する導子コネクター４で構成される。
【００２４】
吸着導子２内には電気回路５により伝達された治療電流を患部に伝達させる為、電極２４が備えられている。
【００２５】
また、吸着導子２内には、電極２４と患部との間の接触を確実にする為に、水を含んだスポンジ(図示しない)が備えられる。この水を含んだスポンジによって、患部の凹凸などの影響を受けず、スポンジが患部形状に沿って変形することで接触面積を減らさず安定して治療電流が患部に流れる。
【００２６】
治療電流、負圧はともに電気刺激装置本体１５内部にて生成され、電気刺激装置本体１５に接続された導子コネクター４内部の接続部７に伝達される。
【００２７】
導子コネクター４内部で接続部７に導子コード３が接続され、導子コード３内に設けられた電気回路５に治療電流が、管路回路６に負圧が接続部７より伝達される。
【００２８】
接続部７は、不用意に使用者が触れない様にカバー８によって覆われている。また、導子コネクター４は電気刺激装置本体１５に使用者によって抜き差しされるため、カバー８は強度が必要であり、硬質な樹脂で構成されている。
【００２９】
導子コネクター４には、接続部７に接続された導子コード４が急激に屈曲し、破損しない様、屈曲保護部９が備えられている。屈曲保護部９は可撓性のあるゴムで構成されている。
【００３０】
一般に、電気刺激装置本体１５に対して、患部の場所、治療電流、治療方法などに応じてそれぞれ形状や、ヒーターなどの特別な機能が備えられた導子が複数接続出来る様用意されている。しかし、電気刺激装置本体１５に、一度に全ての導子が同時に接続できる様に構成するのはコスト面、本体の大きさ、同時治療人数の面から言ってもデメリットが多い為、電気刺激装置導子は前述の様に、導子コネクター4を抜き差し可能に構成することで、用途に合わせた導子に変更できる様になっている。
【００３１】
この変更の際に、導子コネクター４を電気刺激装置本体１５から引き抜く必要があるが、治療中に接触不良による導通不良が発生したり、また電気刺激用導子１への接触や、患部に装着する際の動作で容易に抜けないよう、保持力が必要となる。
【００３２】
それにも関わらず導子の種類によって導子コネクター４を抜き差しする必要がある。その為、導子コネクター４を把持し易くすることで、抜き差しを容易にする必要がある。
【００３３】
そこで導子コネクター４のカバー８の両側面には、導子コネクター４を引き抜く際に、把持した指が掛かり易い様、一部が引き抜き方向に漸次幅広になっている幅広部１１を設けている。
【００３４】
この幅広部１１によって、導子コネクター４を引き抜く方向に力を掛けやすく、容易に導子コネクター４を電気刺激装置本体１５から引き抜くことができる。
【００３５】
また、この幅広部１１は、図示はしないが、導子コネクター４を電気刺激装置本体１５へ差し込む方向に漸次幅広になっていても良い。
【００３６】
この幅広部１１によって、導子コネクターを差し込む方向に力を掛けやすく、容易に導子コネクター４を電気刺激装置本体１５へ差し込むことができる。
【００３７】
また、導子コネクター４の側面視上下端部に一対の凹部１０を設けてある。
【００３８】
この凹部１０によって、この上下端部一対の凹みを挟み込むように把持することで、導子コネクター４を電気刺激装置本体１５から引き抜き、また電気刺激装置本体１５へ差し込む方向に力が掛けやすくなり操作が容易になる。
【００３９】
また、導子コネクター４のカバー８の上下対向面、左右対向面に、抜き差し方向に垂直にそれぞれ凸部２０を複数個（具体的には５個）設けている。
【００４０】
この凸部２０によって、この凸部上を把持することで、指がカバー８から滑りにくくなり、導子コネクター４を電気刺激装置本体１５から引き抜き、また電気刺激装置本体１５へ差し込む方向に力が掛けやすくなり操作が容易になる。
【００４１】
以上の構成により、電気刺激用導子１は、電気刺激装置本体１５に対して抜き差しする際に把持し易い、または指が滑りにくい形状となっている為、抜き差し動作が容易となる。
【００４２】
図３に示すように電気刺激装置本体１５内部には、吸引ユニット１７が備えられ、吸着導子を患部に吸引する為の負圧が吸引ユニット１７により生成される。電気刺激装置本体１５内部で、吸引ユニット１７から出力パネル１８まで配管接続され、出力パネル１８に設けられた、導子コネクター受け部１９に導子コネクター４を差し込むことで、負圧は伝達される。
【００４３】
また、電気刺激装置本体１５には操作パネル１６が設けられている。この操作パネル１６で、治療時間、治療電流の出力、治療の開始、停止などを操作することができる。
【００４４】
電気刺激装置セットは、電気刺激用導子１と、電気刺激装置本体１５で構成される。
【００４５】
次に図４及び図５を参照して、本発明の第２実施例の電気刺激用導子を説明する。図４は治療電流を患部付近で干渉させた干渉波治療を実施する際に最低限必要な数量を揃えた電気刺激用導子を示す。図４は第２実施例の導子コネクターをそれぞれ示す。
【００４６】
図４において電気刺激用導子２１は第１実施例と異なり導子コード３を導子コネクター２２により１個にまとめられている。
【００４７】
導子コネクター２２内部には、複数の吸着導子２のカップ内部に連通し、負圧を伝達する複数の管路回路６を分岐する管路分岐部１４が設置されている。導子コード３内部の管路回路６の電気刺激装置本体接続側端部である基端の管路分岐部１４への接続は、中空の樹脂パイプである管路分岐パイプ２３を介して接続される。また、管路分岐部１４に中空の樹脂パイプである管路接続部１２が接続されている。電気刺激装置本体１５への接続は、管路接続部１２で接続される。
【００４８】
管路分岐パイプ２３、管路接続部１２と管路分岐部１４の接続は、吸引する為の負圧を伝達する必要がある為、気密性が必要となる。その為、管路分岐部１４は可撓性のゴムで構成され、それぞれの接続箇所の穴径をそれぞれの接続部より小さくしている為、接続部を差し込むことで空気の漏れを防いでいる。
【００４９】
導子コード３内に備えられた電気回路５は、電気刺激装置本体接続側端部である基端が、それぞれ導子コネクター２２内でそれぞれが絶縁を保ったまま電気接続部１３に接続される。電気回路５の電気刺激装置本体１５への接続は、電気接続部１３で接続される。
【００５０】
管路接続部１２と電気接続部１３がそれぞれ一つ導子コネクター２２から突起状に配設されており、１個の導子コネクター２２を電気刺激装置１５本体に設けられた導子コネクター受け部１９に差し込むことで複数の吸着導子２を電気刺激装置本体１５へ接続可能としている。
【００５１】
導子コネクター２２は、内部に不用意に使用者が触れない様にカバー８によって覆われている。また、導子コネクター２２は電気刺激装置本体１５に使用者によって抜き差しされるため、カバー８は強度が必要となり、硬質な樹脂で構成されている。
【００５２】
導子コネクター２２には、管路分岐部１４に接続された導子コード３が急激に屈曲し、破損しない様、屈曲保護部９が備えられている。屈曲保護部９は可撓性のあるゴムで構成されている。 
【００５３】
カバー８の上面から屈曲保護部９近傍にかけての両側面には、導子コネクター２２を引き抜く際に、把持した指が掛かり易い様、端部が側面中央部より引き抜き方向に幅広になっている幅広部１１を設けている。
【００５４】
また、この幅広部１１は、図示はしないが、導子コネクター２２を電気刺激装置本体１５へ差し込む方向に漸次幅広になっていても良い。
【００５５】
また、導子コネクター２２のカバー８の側面視上下端部に一対の凹部１０を設けてある。
【００５６】
また、導子コネクター２２に、抜き差し方向に垂直に凸部２０を設けている。
【００５７】
以上の構成により、電気刺激用導子２１は、電気刺激装置本体１５に対して抜き差しする際に把持し易い、または指が滑りにくい形状となっている為、抜き差し動作が容易となる。また、１個の導子コネクター２２を導子コネクター受け部１９に差し込むことで複数の吸着導子を電気刺激装置本体１５へ接続可能としている為、抜き差し回数も削減できる。
【００５８】
以上説明したように、実施形態によれば、患部の場所、治療の種類によって使用する電気刺激用導子を変更する為に、導子コネクターを電気刺激装置本体に対して抜き差しする際に、幅広部や凹部、凸部を設けている為、把持し易く、滑りにくく、抜き差しし易くなる。従って抜き差し動作の負担が軽減される。
【００５９】
本発明は実施例で述べた実施態様に限定されるものではなく、本発明の趣旨を逸脱しない範囲において適宜変更できることは言うまでもない。例えば、幅広部を導子コネクター側面、凹部を上下端部としたが、幅広部を上下端部、凹部を導子コネクター側面に設けても良い。
【００６０】
また、管路接続部と電気接続部の位置を置き換えても良いし、水平方向に並列に設置しても良い。
【００６１】
また、吸着導子内の電極は１個ではなく、複数（例えば２個や４個）であっても良い。
【符号の説明】
【００６２】
１  電気刺激用導子
２  吸着導子
３  導子コード
４  導子コネクター
５  電気回路
６  管路回路
７  接続部
１０  凹部
１１  幅広部
１２  管路接続部
１３  電気接続部
１４  管路分岐部
１５  電気刺激装置本体
１９  導子コネクター受け部
２０  凸部
２１  電気刺激用導子
２２  導子コネクター
２４  電極
【図１】
2017113099.tif 000003
【図２】
2017113099.tif 000004
【図３】
2017113099.tif 000005
【図４】
2017113099.tif 000006
【図５】
2017113099.tif 000007